(57)【特許請求の範囲】
【請求項１】
前面が開口された箱状の洗浄機本体と、前面に操作部が設けられた扉を有し、上面が開口され下部に下カバーが設けられて前記洗浄機本体内に前面開口部から前後方向に出し入れ可能に収容された洗浄槽とからなり、
前記洗浄槽に、外部からの信号を受けて該洗浄槽を前記洗浄機本体から前方向に押し出すスライド装置を設け、
前記スライド装置を、前記洗浄槽に取付けた本体部と、該本体部に前後方向にスライド自在に支持されたスライドシャフトと、該スライドシャフトを駆動する駆動手段とによって構成し、
前記洗浄槽を洗浄機本体内に収容したときは、前記スライドシャフトが本体部から突出して前記洗浄機本体の後壁に当接するように構成したことを特徴とする食器洗浄機。
【請求項２】
前記スライド装置を、前記洗浄槽の下部に設けたことを特徴とする請求項１記載の食器洗浄機。
【請求項３】
前記スライド装置を、前記洗浄槽の下部において幅方向のほぼ中央部に設けたことを特徴とする請求項１又は２記載の食器洗浄機。
【請求項４】
前記スライド装置の本体部を、上方に開口部のない上ケースと下ケースとによって構成したことを特徴とする請求項１〜３のいずれかに記載の食器洗浄機。
【請求項５】
前記スライド装置のスライドシャフトを、錆の発生しにくい材料で形成したことを特徴とする請求項１〜４のいずれかに記載の食器洗浄機。
【請求項６】
前記スライド装置のスライドシャフトにラックを設け、該スライドシャフトの駆動手段を前記ラックと噛合うピニオン及び該ピニオンを駆動するモータによって構成したことを特徴とする請求項１〜５のいずれかに記載の食器洗浄機。
【請求項７】
前記スライド装置のスライドシャフトと該スライドシャフトの駆動手段を、セルフロックのない機構で構成したことを特徴とする請求項１〜６のいずれかに記載の食器洗浄機。
【請求項８】
前記スライド装置を、前記洗浄槽及び前記下カバーの両者又はいずれか一方に固定したことを特徴とする請求項１〜７のいずれかに記載の食器洗浄機。
【請求項９】
前記スライド装置は、前記洗浄槽及び前記下カバーの両者又はいずれか一方に設けた障壁により固定位置が規制されることを特徴とする請求項８記載の食器洗浄機。
【請求項１０】
前記スライド装置は、前記洗浄槽又は前記下カバーにのみ固定されることを特徴とする請求項８又は９記載の食器洗浄機。
【請求項１１】
前記洗浄機本体の後壁の前記スライドシャフトの先端部が当接する位置に、受け部材を着脱可能に取付けたことを特徴とする請求項１〜１０のいずれかに記載の食器洗浄機。
【請求項１２】
前記洗浄機本体の後壁の前記スライドシャフトの先端部が当接する位置の周辺を切除し、該切除部に背面カバーを着脱可能に取付けたことを特徴とする請求項１〜１０のいずれかに記載の食器洗浄機。
【請求項１３】
前記洗浄槽の後壁の上端部に後方に延設されたフランジを設け、前記スライド装置を前記フランジの内側に位置するように配置したことを特徴とする請求項１〜１２のいずれかに記載の食器洗浄機。
【発明の詳細な説明】
【技術分野】
【０００１】
本発明は、食器洗浄機に係り、より詳しくは、流し台等に設置され、洗浄槽を前後に移動させて食器等を出し入れする引出し式の食器洗浄機に関するものである。
【背景技術】
【０００２】
従来の食器洗浄機に、洗浄槽を洗浄機本体から引き出し、押し込む際に、洗浄槽をガイドするスライドレールを洗浄機本体に傾動自在に設け、洗浄槽を引き出すときは前面側に傾動させ、押し込むときは後面側に傾動させることにより、小さな力で洗浄槽を引き出し及び押し込むことができるようにしたものがある（例えば、特許文献１参照）。
【０００３】
【特許文献１】特開２００４−２６１２５９号公報（要約、図１）
【発明の開示】
【発明が解決しようとする課題】
【０００４】
食器洗浄槽の洗浄槽は、一般に、ヒータや洗浄ノズルを内蔵し、外部に洗浄ポンプ、給水弁、排水ポンプ、送風機などが設けられており、これらの重量、及び内部に収納した食器等の重量がかかるため、洗浄機本体からの引き出しや押し込み作業が重く、大きな力を必要とした。
特許文献１の食器洗浄機は、洗浄槽をガイドするガイドレールを傾動自在に構成し、洗浄槽を引き出すときは前面側に傾斜させ、押し込むときは後面側に傾動させるようにしたので、手動により洗浄槽を引き出し及び押し込む際の力が軽減されるが、必ずしも十分ではなく、また、構造が複雑であった。
【０００５】
また、洗浄槽を洗浄機本体内に収容したときは、ラッチにより保持されているが、保持状態にする手段としてばねを使用しているため、洗浄槽を手動により洗浄機本体から引き出す際に、ラッチを解除するための大きな力を必要とするという問題があった。
【０００６】
本発明は、上記の課題を解決するためになされたもので、洗浄槽を洗浄機本体から自動的に押し出すことにより、簡単な構造で洗浄槽の引き出しに大きな力を必要とせず、引き出しの作業性を向上することのできる食器洗浄機を提供することを目的としたものである。
【課題を解決するための手段】
【０００７】
本発明に係る食器洗浄機は、前面が開口された箱状の洗浄機本体と、前面に操作部が設けられた扉を有し、上面が開口され下部に下カバーが設けられて前記洗浄機本体内に前面開口部から前後方向に出し入れ可能に収容された洗浄槽とからなり、前記洗浄槽に、外部からの信号を受けて該洗浄槽を前記洗浄機本体から前方向に押し出すスライド装置を設け、前記スライド装置を、前記洗浄槽に取付けた本体部と、該本体部に前後方向にスライド自在に支持されたスライドシャフトと、該スライドシャフトを駆動する駆動手段とによって構成し、前記洗浄槽を洗浄機本体内に収容したときは、前記スライドシャフトが本体部から突出して前記洗浄機本体の後壁に当接するように構成したものである。
【発明の効果】
【０００８】
本発明によれば、食器等を洗浄する場合や洗浄が終って食器等を取出す場合に、重い洗浄槽をスライド装置により自動的に前方に押し出すようにしたので、洗浄槽の引き出しに大きな力を必要とせず、使い勝手のよい食器洗浄機を得ることができる。
【発明を実施するための最良の形態】
【０００９】
［実施の形態１］
図１は本発明の実施の形態１に係る食器洗浄機の縦断面図、図２は図１の洗浄槽の正面図、図３は図１の洗浄槽のスライド装置の説明図、図４は図３のスライド装置の作用説明図である。
図１において、前面が開口されて流し台等に設置された金属材料からなる箱状の洗浄機本体１内には、上面が開口されて下部に下カバー２４が一体に設けられた箱状の洗浄槽２が収容されており、この洗浄槽２は下部両側に設けたレール３が、洗浄機本体１に設けたガイドレール２５（図６参照）に沿って、前面開口部から引き出し、押し込み可能に構成されている。
【００１０】
４は洗浄槽２の前面に設けられて洗浄機本体１の前面開口部を覆う扉（前面板）で、図２に示すように、上部には操作パネル５が設けられており、この操作パネル５には、電源スイッチ７、スタート／一時停止スイッチ８、洗浄槽２を引き出すオープンスイッチ９などを有する操作部６が設けられている。１０は乾燥工程時に発生した温風を排出する排気口である。
【００１１】
１１は洗浄槽２に設けられて、洗浄機本体１内に収容された洗浄槽２を保持するラッチ、１２はラッチを保持状態にするばねである。
洗浄槽２内には、洗浄水を加熱するヒータ１３及び洗浄水を噴出する洗浄ノズル１４が設けられており、洗浄槽２の下部には、洗浄ノズル１４に洗浄水を圧送する洗浄ポンプ１５、汚れた洗浄水を排出する排水ポンプ１６が設けられており、これらは下カバー２４によって遮蔽されている。また、洗浄槽２の後部には乾燥工程時に洗浄槽２内へ外気を送る送風機１８が設けられており、送風機１８と洗浄槽２を連通する風路１９には、外気を加熱する第２のヒータ２０が設けられている。なお、１７は洗浄槽２に洗浄水を給水する給水弁である。
２１は洗浄する食器等が入れられて洗浄槽２内に収納される食器かご、２３は洗浄槽２の上部開口部を閉じる内蓋である。
【００１２】
３０は洗浄槽２の下カバー２４に取付けられて洗浄槽２を押し出すスライド装置で、図３に示すように、本体部３１に設けた溝３２には、ラック３４が設けられたスライドシャフト３３が保持部３５に支持されて軸方向（前後方向）にスライド自在に挿入されている。３６は本体部３１に設けたスライドシャフト３３の駆動手段であるモータで、その出力軸にはラック３４と噛合うピニオン３７が設けられている。なお、３８（図４）は溝３２の最奥部近傍に設けられてスライドシャフト３３の後退位置を検知する後退位置検知器、３９は前進位置を検知する前進位置検知器である。
【００１３】
このように構成したスライド装置３０は、図４（ａ）に示すように、洗浄槽２を洗浄機本体１内の所定の位置に収容したときは、スライドシャフト３３は本体部３１の溝３２の最奥部まで挿入されており、その先端部は洗浄機本体１の後壁に当接している（以下、スライドシャフト３３のこの状態を後退という）。このとき、後退位置検知器３８は、スライドシャフト３３が所定の後退位置にあることを検知する。
【００１４】
この状態で操作部のオープンスイッチ９をＯＮすると、モータ３６に通電されてピニオン３７を矢印ａ方向に回転させる。これにより、スライドシャフト３３は図の右方向に移動（以下、これを前進という）しようとするが、スライドシャフト３３は先端部が洗浄機本体１の後壁に当接しているので、ピニオン３７の回転に伴って本体部３１は洗浄機本体１の前面開口部方向に移動し、これが取付けられた洗浄槽２がガイドレールに沿って移動し、洗浄機本体１の前面開口部から前方に押し出される。スライドシャフト３３の全長が前進したときは、前進位置検知器３９で検知され、モータ３６を停止させる。モータ３６を反対方向に回転させれば、スライドシャフト３３は所定の位置まで後退し、後退位置検知器３８がこれを検知して、モータ３６を停止させる。
【００１５】
５０は洗浄槽２と扉４との間に配設されて操作部６に接続された制御部で、マイクロコンピュータを備えており、マイクロコンピュータは、操作部６、水量検出手段、洗浄水の温度検出手段、扉開検知器（いずれも図示せず）、前進位置検知器３８、後退位置検知器３９などから信号を入力し、ヒータ１３、洗浄ポンプ１５、排水ポンプ１６、給水弁１７、送風機１８、スライド装置３０などへ制御信号を出力する。
【００１６】
次に、上記のように構成した本実施の形態に係る食器洗浄機の動作について説明する。
汚れた食器等２２を洗浄するにあたっては、先ず、操作部６の電源スイッチ７をＯＮし、ついでオープンスイッチ９をＯＮする。これにより、制御部５０からスライド装置３０に制御信号が送られ、モータ３６を駆動してスライドシャフト３３を前進させ、図５に示すように、ラッチ１１を解除して洗浄槽２を洗浄機本体１の前面開口部から前方に押し出す。スライドシャフト３３の全長が前進すると、前進位置検知器３９がこれを検知してモータ３６を停止させる。ついで、モータ３６を逆回転してスライドシャフト３３を後退させ、次回に備える。スライドシャフト３３が所定の位置まで後退したときは、後退位置検知器３８がこれを検知し、モータ３６を停止させる。
【００１７】
このとき、スライドシャフト３３を長くすれば、洗浄槽２を所定の位置まで押し出すことができるが、スライドシャフト３３が短い場合は洗浄槽２は途中で停止するので、引続き所望の位置まで手動により引き出す。この場合も、ラッチ１１を解除するために大きな力を必要とする引き出しの初期段階はスライド装置３０により押し出されるので、以後の手動による洗浄槽２の引き出しには、大きな力を必要としないので、引き出し作業力が低減されて作業性を向上することができる。
【００１８】
また、図６（ａ）に示すように、スライド装置３０を洗浄槽２の一方の側に設けると、洗浄槽２を押し出したときに、洗浄槽２の前部が他方の側に片寄って押し出されたり、レール３がガイドレール２５から外れることがあるなど、正しく動作できないことがある。
このような問題を回避するために、図６（ｂ）に示すように、スライド装置３０を洗浄槽２の幅方向の中心部近傍に設けることが望ましい。これにより、左右に片寄ることなく洗浄槽２を安定して直線的に押し出すことができる。なお、スライド装置３０は、洗浄槽２の両側に設けてもよい。
【００１９】
ついで、汚れた食器等２２が入れられた食器かご２１を上面開口部から洗浄槽２内に収納し、内蓋２３で上部開口部を閉じて洗浄機本体１内に押し込む。これにより、洗浄槽２はラッチ１１によりその位置に保持され、スライド装置３０のスライドシャフト３３の先端部が洗浄槽本体１の後壁に当接する。
【００２０】
この状態で操作部６のスタート／一時停止スイッチ８をＯＮすると、給水弁１７が開いて洗浄槽２内に洗浄水が給水され、水量検出手段により所定量の洗浄水が給水されたことが検知されると、給水弁１７が閉じられる。このとき、必要に応じて洗浄槽２内に洗剤を投入する。ついで、ヒータ１３に通電して洗浄水を所望の温度に加熱する。温度検出手段により洗浄水が所望の温度になったことが検知されると、洗浄ポンプ１５を駆動して温水化した洗浄水を洗浄ノズル１４に圧送し、ノズル孔から洗浄水を噴射して食器等２２を洗浄する。このとき、洗浄ノズル１４は、洗浄水の噴射による反力で回転し、万遍なく食器等２２に噴射する。
【００２１】
洗浄槽２内に噴射した洗浄水は落下して洗浄槽２の下部に集まり、再び洗浄ノズル１４から噴射し、この循環を繰り返えす（洗浄工程）。なお、洗浄槽２の上面開口部は内蓋２３で密閉されているので、洗浄水が外部に飛散することがない。
【００２２】
所定時間経過すると、ヒータ１３及び洗浄ポンプ１５への通電が停止され、ついで、排水ポンプ１６に通電されて洗浄槽２内の汚水が外部へ排出される。
排水が終ったときは、排水ポンプ１６への通電を停止し、給水弁１７を開いて洗浄水を洗浄槽２内に給水する。以後は上述した洗浄工程と同様の動作により食器等２２のすすぎ洗いが行われ、所定時間のすすぎ洗いが終ると排水される。このようなすすぎ洗いと排水は、複数回繰り返えされる（すすぎ工程）。
【００２３】
所定回数のすすぎ工程が終了すると、送風機１８及び第２のヒータ２０に通電して洗浄槽２内に外気を導入する。この外気は第２のヒータ２０で加熱されて温風となり、洗浄槽２内に送られて食器等２２及び洗浄槽２内の全域を乾燥し、これらを乾燥した温風は排気口１０から外部へ排出される（乾燥工程）。
所定時間経過すると、送風機１８及び第２のヒータ２０への通電が停止され、乾燥工程が終了する。これにより、食器等２２の洗浄、すすぎ及び乾燥が完了する。なお、これら一連の動作は、制御部５０のマイクロコンピュータ４１に設定されたプログラムにしたがって、自動的に行われる。なお、食器洗浄機の運転中においても、スタート／一時停止スイッチ８をＯＮすることにより、スライド装置３０が駆動されて洗浄槽２を押し出すことができる。
【００２４】
食器等２２を取出す場合は、操作部６のオープンスイッチ８をＯＮし、スライド装置３０により洗浄槽２を洗浄機本体１の前面開口部から前方に押し出し、食器かご２１又は食器等２２を取出して洗浄槽２を再び洗浄機本体１内に戻す。このときのスライド装置３０の作用は、前述の通りである。
【００２５】
本実施の形態によれば、食器等２２を洗浄する場合や洗浄が終了した食器等２２を取出す場合に、これを収納した重い洗浄槽２を、スライド装置３０により洗浄機本体１の前面開口部から自動的に前方に押し出すようにしたので、洗浄槽２の引き出しに大きな力を必要とせず、使い勝手のよい食器洗浄機を得ることができる。
【００２６】
［実施の形態２］
図７は本発明の実施の形態２に係る食器洗浄機に設けたスライド装置の説明図である。なお、実施の形態１のスライド装置と同じ部分にはこれと同じ符号を付し、説明を省略する。
実施の形態１では、スライド装置３０の本体部３１を一体に構成した場合を示したが、本実施の形態においては、本体部３１を上ケース３１ａと下ケース３１ｂとによって構成したものである。
【００２７】
そして、上ケース３１ａと下ケース３１ｂとの間に、ラック３４を有し保持部３５に支持されたスライドシャフト３３を、前後方向にスライド自在に配置すると共に、ラック３４と噛合いモータ３６で駆動されるピニオン３７、後退位置検知器３８、前進位置検知器３９等を収容したもので、上ケース３１ａの上方にはこれら内蔵した部材や部品が露出されるような開口部は一切設けられていない。なお、４０は上ケース３１ａと下ケース３１ｂとの間に設けられて、スライドシャフト３３が突出する開口部で、周縁部に突状のフランジを設けて水が浸入しないようになっている。また、下ケース３１ｂには、内蔵した電気部品のリード線を引き出すガイド穴４１が設けられている。
【００２８】
本実施の形態においては、ラック３４を有するスライドシャフト３３は、錆が発生しにくい材料、例えば合成樹脂で形成されており、また、ラック３４やピニオン３７は、平歯車やハスバ歯車などの正逆転可能な歯車で形成され、セルフロックのない構成となっている。
本実施の形態に係るスライド装置３０の動作は、実施の形態１の場合と同様である。
【００２９】
本実施の形態によれば、実施の形態１の場合と同様の効果が得られるが、さらに、スライド装置３０の上面には開口部がないので、若し、洗浄槽２内の水が溢れるようなことがあっても内部に水が浸入することがなく、冠水による故障の発生を防止することができる。
また、スライドシャフト３３は例えば合成樹脂の如き錆の発生しにくい材料で形成されているので、万一、突出したスライドシャフト３３に水がかかっても錆などの不具合を生じることがないため、信頼性の高いスライド装置３０を得ることができる。
【００３０】
さらに、スライド装置３０は、セルフロックのないスライドシャフト３３のラック３４とピニオン３７とによって構成されているので、例えば、洗浄槽２が前方に引き出されている状態で、使用者が洗浄槽２をロックした場合などにおいて、スライドシャフト３３に洗浄槽２の押し方向の荷重より大きい逆方向の荷重が作用した場合でも、ラック３４（スライドシャフト３３）が逆方向に移動し、ピニオン３７は逆方向に回転するので、スライド装置３０に逆方向の過負荷がかかることがない。このため、例えばトルクリミッタなどの特別な過負荷防止装置を設けなくても、スライド装置３０を保護することができる。
【００３１】
［実施の形態３］
図８〜図１１は本発明の実施の形態３に係る食器洗浄機の縦断面図で、本実施の形態は、洗浄槽へのスライド装置の取付け手段に関するものである。なお、実施の形態１と同じ部分にはこれと同じ符号を付し、説明を省略する。
図８の食器洗浄機は、洗浄機本体１の後壁１ａの下部を内側に折り曲げて内側に突出させ（以下、内側突出部１ｂという）、洗浄槽２を洗浄機本体１内に収容したときに、スライドシャフト３３の後壁１ａに当接するまでのストロークを短かくし、また、スライド装置３０を洗浄槽２の下カバー２４に取付けたものである。
【００３２】
スライド装置３０の下カバー２４への取付けにあたっては、下カバー２４の後部側に設けたねじ挿通穴２４ａに挿通したねじ６０を、スライド装置３０のねじ穴４２に螺入して固定する。
本例によれば、スライド装置３０が故障した場合などにおいて、洗浄機本体１を流し台等から取外して移動したりすることなく、洗浄槽２を引き出して下カバー２４を取外すことにより、容易にメンテナンスを行うことができる。
【００３３】
図９の食器洗浄機は、洗浄槽２の底部の後部側にねじ穴を有する複数のスタッド２６を設けると共に、スライド装置３０の本体部３１に、スタッド２６に対応してねじ挿通穴を有する取付腕４３を設け、取付腕４３のねじ挿通穴に挿入したねじ６１をスタッド２６のねじ穴に螺入して固定したものである。
本例においても、図８の場合と同様の効果を得ることができる。
【００３４】
図１０の食器洗浄機は、図８、図９の両者の固定手段により洗浄槽２にスライド装置３０を固定したものである。これにより、スライド装置３０はより強固に洗浄槽２に固定されるので、図８、図９の効果が得られるばかりでなく、洗浄槽２をガタツキがなく、安定して押し出すことができる。
【００３５】
図１１の食器洗浄機は、図９の固定手段において、洗浄槽２の底部に設けたスタッド２６ａ，２６ｂの間に、スライド装置３０の本体部３１の段部に当接する洗浄槽障壁２７を設けると共に、下カバー２４の上面のスライド装置３０の前端部の位置に、下カバー障壁２８を設けたものである。なお、この障壁２７，２８は、洗浄槽２の底部又は下カバー２４のいずれか一方のみに設けてもよい。
【００３６】
本例によれば、スライド装置３０により洗浄槽２を押し出す際に、スタッド２６ａ，２６ｂに動作荷重が加わるが、洗浄槽障壁２７及び下カバー障壁２８によりスライド装置３０の配置位置が規制されているため、動作荷重はこれらに分散されてスタッド２６ａ，２６ｂの負荷を軽減することができ、これにより、スタッド２６ａ，２６ｂの変形や損傷を防止することができる。
本例は、図８、図９の固定手段にもその一部又は全部を実施することができる。なお、上記の各例では、洗浄機本体１の後壁１ａに内側突出部１ｂを設けた場合を示したが、図１に示すように、内側突出部１ｂのない後壁１ａを有する洗浄機本体１にも本実施の形態を実施することができる。
【００３７】
［実施の形態４］
図１２は本発明の実施の形態４に係る食器洗浄機の縦断面図である。なお、実施の形態１と同じ部分にはこれと同じ符号を付し、説明を省略する。
本実施の形態に係る食器洗浄機は、洗浄槽２の後壁の上端部に、外方（後方）に延設されたフランジ２９を設けたものである。
【００３８】
このフランジ２９は、若し、洗浄槽２から水が溢れても、スライド装置３０に直接水がかからない位置まで水を誘導することのできる形状に形成されており、スライド装置３０はこのフランジ２９の内側に配置されている。
本実施の形態によれば、洗浄槽２から水が溢れた場合においても、スライド装置３０に水がかからないので、水によるスライド装置３０の故障などを防止することができる。
【００３９】
［実施の形態５］
図１３〜図１５は本発明の実施の形態５に係る食器洗浄機の縦断面図である。なお、実施の形態１と同じ部分にはこれと同じ符号を付し、説明を省略する。
実施の形態１〜４の食器洗浄機において、洗浄槽２に設けられてこれを押し出すスライド装置３０のスライドシャフト３３は、その先端部が洗浄機本体１の後壁１ａに当接しており、スライドシャフト３３が前進して洗浄槽２を押し出す際に、洗浄槽本体１の後壁１ａに大きな負荷がかかるため、後壁１ａが変形したり破損したりするおそれがある。
本実施の形態は、このような問題を解決するために、洗浄機本体１の後壁１ａのスライドシャフト３３が当接する部分の周辺を補強したものである。
【００４０】
図１３の食器洗浄機は、洗浄機本体１の後壁１ａの下部に設けた内側突出部１ｂの内側に受け部材４４を当接し、外側からねじ６２で固定したものである。
本例によれば、洗浄機本体１の全体の強化をはかることなく後壁１ａのスライドシャフト３３の先端部が当接する部分を補強することができるので、コストを低減することができる。
また、食器洗浄機のスライド装置３０の有無による機種ごとに受け部材４４の要否を選択することができる。
【００４１】
なお、図には、洗浄機本体１の後壁１ａに内側突出部１ｂを設けた場合を示したが、図１に示すように、内側突出部１ｂのない後壁１ａを有する洗浄機本体１においても、スライド装置３０のスライドシャフト３３が当接する部分の内側に、受け部材４４を設けることにより本例を実施することができる。
【００４２】
図１４の食器洗浄機は、洗浄機本体１の後壁１ａと底板からなるコーナ部全体、又はこのコーナ部のスライドシャフト３３の先端部が当接する部分の周辺を切除し、この部分に、例えば後壁１ａと同じ材料からなり、図１３の内側突出部１ｂと対応した形状で両端部に取付腕４６を有し、内側に受け部材４４がねじ６２により取付けられた背面カバー４５を、取付腕５３を介して後壁１ｂ及び底板の切除部を覆って取付けたものである。
【００４３】
本例によれば、図１３の例の場合とほぼ同様の効果が得られるが、さらに、受け部材４４を交換する場合は背面カバー４５を取外せばよいので、交換作業が容易である。また、背面カバー４５が変形したり損傷したりした場合は、背面カバー４５自体を交換すればよい。
なお、本例においても、背面カバー４５を内側突出部１ｂに対応した形状とせず、洗浄機本体１の後壁と同一平面になるようにしてもよい。
【００４４】
図１５の食器洗浄機は、図１４の食器洗浄機の背面カバー４５に代え洗浄機本体１の下部コーナ部の切除部を覆って、洗浄機本体１の後壁１ａの板厚より厚い背面カバー４５ａを、副え板４７を介してねじにより取付けたものである。本例においては、背面カバー４５ａの板厚を厚くしたので、受け部材４４は設けられていない。
【００４５】
本例によれば、受け部材４４を必要としないので構造が簡単であり、若し、なんらかの理由で背面カバー４５ａを交換する場合は、交換作業がきわめて簡単である。なお、本例においても、背面カバー４５ａの背面側を、後壁１ａの背面と同一平面上に位置させてもよい。
【００４６】
上記の各実施の形態において、スライド装置３０のスライドシャフト３３の先端部を洗浄機本体１の後壁に連結すれば、モータ３６を反対方向に回転させてスライドシャフト３３を後退させることにより、引き出した洗浄槽２を洗浄機本体１内に引き込んで収容することができる。
【００４７】
また、スライド装置３０の本体部３１を、洗浄機本体１の底板の前面開口部側（又は後部側）に取付け、スライドシャフト３３の先端部を洗浄槽２の下カバー２４に連結すれば、スライドシャフト３３を後退（又は前進）させることにより、洗浄機本体１の前面開口部から引き出す（又は押し出す）ことができ、スライドシャフト３３を前進（又は後退）させれば、洗浄槽２を洗浄機本体１内に押し込む（又は引き込む）ことができる。
【００４８】
また、上記の説明では、スライド装置３０をラック３４とピニオン３７で構成した場合を示したが、これに限定するものではなく、例えば、カム機構やリニア機構に用いるアクチュエータ、あるいは、ソレノイドなどを用いてもよい。
【図面の簡単な説明】
【００４９】
【図１】本発明の実施の形態１に係る食器洗浄機の縦断面図である。
【図２】図１の洗浄槽の正面図である。
【図３】図１のスライド装置の説明図である。
【図４】図３のスライド装置の作用説明図である。
【図５】図１の食器洗浄機の洗浄槽を押し出した状態を示す縦断面図である。
【図６】図１のスライド装置の取付位置の説明図である。
【図７】本発明の実施の形態２に係る食器洗浄機のスライド装置の説明図である。
【図８】本発明の実施の形態３に係る食器洗浄機の洗浄槽へのスライド装置の取付手段の説明図である。
【図９】本発明の実施の形態３に係る食器洗浄機の洗浄槽へのスライド装置の取付手段の説明図である。
【図１０】本発明の実施の形態３に係る食器洗浄機の洗浄槽へのスライド装置の取付手段の説明図である。
【図１１】本発明の実施の形態３に係る食器洗浄機の洗浄槽へのスライド装置の取付手段の説明図である。
【図１２】本発明の実施の形態４に係る食器洗浄機の縦断面図である。
【図１３】本発明の実施の形態５に係る食器洗浄機の縦断面図である。
【図１４】本発明の実施の形態５に係る食器洗浄機の縦断面図である。
【図１５】本発明の実施の形態５に係る食器洗浄機の縦断面図である。
【符号の説明】
【００５０】
１  洗浄機本体、１ａ  後壁、２  洗浄槽、４  扉、５  操作パネル、６  操作部、７  電源スイッチ、８  スタート／一時停止スイッチ、９  オープンスイッチ、１０  排気口、１１  ラッチ、１３  ヒータ、１４  洗浄ノズル、１５  洗浄モータ、１６  排水モータ、１７  給水弁、１８  送風機、２０  第２のヒータ、２１  食器かご、２２  食器等、２４  下カバー、２６  スタッド、２７，２８  障壁、２９  フランジ、３０  スライド装置、３１  本体部、３３  スライドシャフト、３４  ラック、３６  モータ、３７  ピニオン、４４  受け部材、４５，４５ａ  背面カバー、５０  制御部。
【図１】
0004948352.tif 000002
【図２】
0004948352.tif 000003
【図３】
0004948352.tif 000004
【図４】
0004948352.tif 000005
【図５】
0004948352.tif 000006
【図６】
0004948352.tif 000007
【図７】
0004948352.tif 000008
【図８】
0004948352.tif 000009
【図９】
0004948352.tif 000010
【図１０】
0004948352.tif 000011
【図１１】
0004948352.tif 000012
【図１２】
0004948352.tif 000013
【図１３】
0004948352.tif 000014
【図１４】
0004948352.tif 000015
【図１５】
0004948352.tif 000016